(57)【要約】      （修正有）【課題】筆記具などの小物を収納して携帯でき、使用時にスタンドとして使える小物入れにおいて、小物の取出しまでの操作を簡素化して、より一層使いやすくする小物入れを提供する。【解決手段】互いに重なり合って長手方向に相対移動可能な有底筒状の下部ケース１２及び筒状の上部ケース１３と、下部ケース１２と上部ケース１３の周壁２１，３１を連結して分離不可とする連結帯を備える。下部ケース１２と上部ケース１３が変形可能な板状の芯材を周壁２１，３１に有するとともに、下部ケース１２の底部を平面視円形または略円形とする。上部ケース１３の上端開口３１ａ縁の一側に、上端開口３１ａ縁の他側に向けて折り返されて上端開口３１ａを塞ぐ蓋部３２が形成され、蓋部３２と上部ケース１３にスナップ３５ａ、３５ｂを備える。【選択図】図１
0003204629.tif 000002
【実用新案登録請求の範囲】
【請求項１】
互いに重なり合って長手方向に相対移動可能な有底筒状の下部ケース及び筒状の上部ケースと、
前記下部ケースと前記上部ケースの周壁を連結して分離不可とする連結帯を備え、
前記下部ケースと前記上部ケースが変形可能な板状の芯材を周壁に有するとともに、
前記下部ケースの底部が平面視円形または略円形である
小物入れ。
【請求項２】
前記下部ケース内の底部に、平面視円形または略円形の芯材を有する着脱可能な底板部材を備えた
請求項１に記載の小物入れ。
【請求項３】
前記下部ケースの底部に、底面を上げ底とする環状の底枠部が形成された
請求項１または請求項２に記載の小物入れ。
【請求項４】
前記底面における前記底枠部に囲まれる部位に取っ手が形成された
請求項３に記載の小物入れ。
【請求項５】
前記上部ケースの上端開口縁の一側に、上端開口縁の他側に向けて折り返されて上端開口を塞ぐ蓋部が形成された
請求項１から請求項４のうちいずれか一項に記載の小物入れ。
【請求項６】
前記蓋部の基部の幅が前記上端開口縁の半分の長さに対応する幅である
請求項５に記載の小物入れ。
【請求項７】
前記蓋部の基部に前記上部ケースの芯材と一体の芯材を備えた
請求項５または請求項６に記載の小物入れ。
【請求項８】
互いに重なり合って長手方向に相対移動可能な有底筒状の下部ケース及び筒状の上部ケースと、
前記下部ケースと前記上部ケースの周壁を連結して分離不可とする連結帯を備え、
前記下部ケースと前記上部ケースが変形可能な板状の芯材を周壁に有するとともに、
前記下部ケースの底部が平面視円形または略円形であり、
前記下部ケースの底部に、底面を上げ底とする環状の底枠部が形成され、
前記底面における前記底枠部に囲まれる部位に取っ手が形成され、
前記下部ケース内の底部に、平面視円形または略円形の芯材を有する着脱可能な底板部材を備え、
前記上部ケースの上端開口縁の一側に、上端開口縁の他側に向けて折り返されて上端開口を塞ぐ蓋部が形成され、
前記蓋部の基部の幅が前記上端開口縁の半分の長さに対応する幅であるとともに、
前記蓋部を閉じる閉鎖手段として前記蓋部と前記上部ケースにスナップまたは磁着具を備えた
小物入れ。
【請求項９】
前記下部ケースと前記上部ケースの間に相対移動を段階的に行わせる節度構造を備えた
請求項１から請求項８のうちいずれか一項に記載の小物入れ。
【請求項１０】
前記節度構造が、前記連結帯に複数の屈曲部と複数の非屈曲部を長手方向に沿って交互に形成して構成された
請求項９に記載の小物入れ。
【請求項１１】
前記節度構造が、前記下部ケースと前記上部ケースにおける相対向する対向面の少なくともいずれか一方に形成された凹凸で構成された
請求項９に記載の小物入れ。
【考案の詳細な説明】
【技術分野】
【０００１】
この考案は小物入れに関し、より詳しくは、たとえば筆記具や文具、メガネ、携帯機器、化粧用具などの小物を収納して携帯でき、使用時に使いやすくするような小物入れに関する。
【背景技術】
【０００２】
出し入れを容易にして使いやすくする筆記具ケースが下記特許文献１に開示されている。
【０００３】
この筆記具ケースは、連結部材を介して相互に連結されて長手方向に相対移動可能な下部ケース形成体と上部ケース形成体からなる横断面略楕円形のケース本体を有し、ケース本体の出し入れ口に開閉手段を備えた構成である。開閉手段はスライドファスナであって、出し入れ口を偏平に閉じるように構成されている。筆記具の出し入れに際しては筆記具ケースを立ててからスライドファスナを開けて上部ケース形成体を下げる。こうすると収納された筆記具の上部が立った状態で露出するので、筆記具の出し入れが容易に行える。
【０００４】
しかし、下部ケース形成体と上部ケース形成体は互いの位置関係を規制できる摩擦抵抗が生じるように大きさが設定されているので、上部ケース形成体を下にずらす操作は簡易迅速に行えるものではない。
【先行技術文献】
【特許文献】
【０００５】
【特許文献１】特許第４６６５３３７号公報
【考案の概要】
【考案が解決しようとする課題】
【０００６】
そこでこの考案は、より一層使いやすくできるようにすることを主な目的とする。
【課題を解決するための手段】
【０００７】
そのための手段は、互いに重なり合って長手方向に相対移動可能な有底筒状の下部ケース及び筒状の上部ケースと、前記下部ケースと前記上部ケースの周壁を連結して分離不可とする連結帯を備え、前記下部ケースと前記上部ケースが変形可能な板状の芯材を周壁に有するとともに、前記下部ケースの底部が平面視円形または略円形である、小物入れである。
【０００８】
この構成では、下部ケースの底部の平面視形状ゆえに立てたときの安定性が高いうえに下部ケースと上部ケースの周壁の芯材によって適宜の剛性が得られるので、上部ケースを下げて収納した小物を露出させる操作が片手で行える。また上部ケースの芯材は上部ケースを開口しやすくする。
【０００９】
前記下部ケースの底部には、平面視円形または略円形の芯材を有する着脱可能な底板部材を備えるとよい。  
この構成では、下部ケース及び上部ケースの芯材は変形可能であるため、底板部材を外したときにはそれらを小さくして輸送等が行える一方で、底板部材を取り付けると下部ケースと上部ケースの形状が平面視円形かそれに近い形に維持できる。また底板部材は収納した小物から下部ケースの底面を保護するとともに、小物の保護も行う。
【００１０】
前記下部ケースの底部に、底面を上げ底とする環状の底枠部を形成してもよい。  
この構成では、底枠部が底面を浮かせるので収納した小物を衝撃等から保護できるとともに、置いた時の安定性が向上する。
【００１１】
下部ケースの底部に底枠部を形成した場合には、前記底面における前記底枠部に囲まれる部位に取っ手を形成するとよい。  
取っ手は携帯に際して使用できるものであるが、底枠部で囲まれているので、立てておく場合でも邪魔にはならないようにできる上に、持ちやすい形状に形成できる。
【００１２】
前記上部ケースの上端開口縁の一側に、上端開口縁の他側に向けて折り返されて上端開口を塞ぐ蓋部を形成するとよい。  
この構成では、蓋部で塞ぐので、片手で開閉できるようにすることができる。しかも、蓋部の大きさによっては上端開口をスライドファスナで閉じる場合のように偏平に閉じる必要はなく、上端開口を偏平にしなくてもよいので、収納する小物の数が多い場合や小物の太さが太い場合でも、小物入れ全体の高さを極力低くすることが可能である。
【００１３】
上端開口を蓋部で塞ぐ場合には、前記蓋部の基部の幅が前記上端開口縁の半分の長さに対応する幅であるとよい。  
蓋部の基部が平面視円形に近く芯材を有する上部ケースの上端開口縁の半分の長さに対応する幅であるので、蓋部を開けると蓋部の幅方向両側部が伸びて、蓋部は自然に立ち上がる。また蓋部を閉じたときには上端開口を十分に塞ぐ。
【００１４】
上端開口を蓋部で塞ぐ場合には、前記蓋部の基部に前記上部ケースの芯材と一体の芯材を備えるとよい。  
芯材によって蓋部は開いた状態を保持できる。また蓋部を閉じたときには収納した小物を保護できる。
【００１５】
前記下部ケースと前記上部ケースの間に相対移動を段階的に行わせる節度構造を備えてもよい。前記節度構造は、例えば、前記連結帯に複数の屈曲部と複数の非屈曲部を長手方向に沿って交互に形成して構成されたものであっても、前記下部ケースと前記上部ケースにおける相対向する対向面の少なくともいずれか一方に形成された凹凸で構成されたものであってもよい。  
この構成では、節度構造が下部ケースと上部ケースの相対移動に際してクリック感が得られるとともに、適宜長さでの保持も可能である。
【考案の効果】
【００１６】
以上のように、この考案によれば、収納した小物を片手で露出させることが可能であり、より一層使いやすくできる。
【図面の簡単な説明】
【００１７】
【図１】蓋部を開けた状態の小物入れの斜視図。
【図２】スタンドとしての使用状態の小物入れの正面図。
【図３】長さを長くした小物入れの正面図。
【図４】長さを長くした小物入れの側面図。
【図５】蓋部を開けた状態の小物入れの縦断面図。
【図６】蓋部を開けた状態の小物入れの底面図。
【図７】蓋部を開けた状態の小物入れの平面図。
【図８】連結帯を備える部分の拡大断面図。
【図９】他の例に係る上部ケースの縦断面図。
【図１０】他の例に係る上部ケースの縦断面図。
【図１１】他の例に係る小物入れの一部断面側面図。
【図１２】節度構造を示す断面図。
【図１３】節度構造を示す断面図。
【考案を実施するための形態】
【００１８】
この考案を実施するための一形態を、以下図面を用いて説明する。  
図１に、特に筆記具入れや文具入れ、メガネケース、携帯機器ケース、化粧用具入れなどとして使用するのに好適な小物入れ１１を示す。小物入れ１１は全体として長さ変更可能な筒状であり、小物を収納して携行できるほか、図２に示したように立てて置くことで小物スタンドとして使用できるものである。
【００１９】
小物入れ１１は、図３、図４に示したように、互いに重なり合って長手方向に相対移動可能な有底筒状の下部ケース１２及び筒状の上部ケース１３と、これら下部ケース１２と上部ケース１３の周壁２１，３１を連結して分離不可とする連結帯１４を備えている。
【００２０】
下部ケース１２は、図５の断面図に示したように周壁２１と底面２２を有する。周壁２１は変形可能な板状の芯材２３を適宜の生地２４で被覆して横断面円形または略円形の筒状に形成される。芯材２３としては、例えば発泡ポリエチレンからなるベルポーレンなどの樹脂板を使用できる。周壁２１の上端は開口しており、内部の収納空間１５に対する小物の出し入れ口となる。
【００２１】
底面２２は平面視円形または略円形であって、周壁２１の下端位置よりも上に、上げ底状に生地のみで形成される。下部ケース１２の底部、つまり周壁２１における底面２２よりも下の部位は、底面２２を上げ底とする環状の底枠部２５である。底枠部２５の高さは適宜設定される。
【００２２】
また、下部ケース１２内の底部に底板部材２６が着脱可能に備えられる。底板部材２６は、底面２２に対応する大きさの円形または略円形の板状の芯材２６ａを有している。具体的には芯材２６ａのみで構成しても、芯材２６ａを適宜の生地で被覆して構成しても、芯材２６ａの周囲に縁布を取り付けて構成してもよい。芯材２６ａについては前述した周壁２１の芯材２３と同様で、樹脂板など適宜の材料で構成される。
【００２３】
下部ケース１２の底部は、底面２２の形状と芯材２３を有する周壁２１、特に底枠部２５の存在によって、平面視円形または略円形に保持される。これに加えて、底板部材２６を収納することによってもその形状に保持される。
【００２４】
底面２２の外側面、つまり底枠部２５に囲まれる部位には、底面図である図６にも示したように取っ手２７が形成される。取っ手２７は帯状の繊維テープで構成され、底面２２の中心を通る直径部分に張って取り付けられる。取っ手２７の取り付けは、底面２２や底枠部２５の形成に合わせて長手方向の両端部を縫着して行う。底枠部２５は適宜の高さを有するので、取っ手２７は指先を引っ掛けやすいように中間部を底面から浮かせて取り付けるとよい。
【００２５】
上部ケース１３は、図５の断面図に示したように周壁３１と蓋部３２を有し、下部ケース１２に被さる。周壁３１は下部ケース１２と同様に変形可能な板状の芯材３３を適宜の生地３４で被覆して横断面円形または略円形の筒状に形成される。周壁３１の上端と下端は開口しており、上端開口３１ａは収納空間１５に対する小物の出し入れ口となる。周壁１３は下部ケース１２の周壁２１を覆うため、そのぶん上部ケース１３の周壁３１は下部ケース１２の周壁２１よりも若干大きく形成されている。
【００２６】
蓋部３２は、図１、図２に示したように正面視略半長円形に適宜の生地で形成され、周壁３１の上端開口３１ａ縁の一側、具体的には背面側に形成されている。蓋部３２を構成する生地はある程度コシ、つまり形を保持する粘り力のある状態であるのが好ましい。蓋部３２は、上端開口３１ａ縁の他側、つまり正面側に向けて折り返されて上端開口３１ａを塞ぐ部分である。蓋部３２の長さは、基本的に平面視円形または略円形の上部ケース１３を極端に偏平に変形しなくても閉塞できる長さに設定されるとよい。また蓋部３２の基部の幅は、周壁３１の上端開口３１ａ縁の半分の長さに対応する幅に設定される。「半分」とは上端開口３１ａ縁の半周の長さのほか、半周程度の長さを含む意味である。
【００２７】
蓋部３２の基部の長さが周壁３１の上端開口３１ａ縁の半分に対応するものであるため、平面図である図７に示したように、上部ケース１３と下部ケース１２の上端部は平面視長円形または楕円形に近い形状になりやすい。これは蓋部３２の基部が上部ケース１３の上端開口３１ａを引っ張るからである。また蓋部３２の基部は幅方向の両側部が湾曲するため、蓋部３２が有するコシと相まって、図５、図７に示したように自然な形で起立する。
【００２８】
蓋部３２の先端側部分と上部ケース１３正面側の上部には、閉鎖手段として一組のスナップ３５（スナップの一方３５ａ、スナップの他方３５ｂ）が固定されている。閉塞手段はスナップ３５以外のものであってもよい。
【００２９】
下部ケース１２と上部ケース１３を連結する連結帯１４は、帯状をなす柔軟な繊維製テープで構成されており、図４に示したように下部ケース１２と上部ケース１３を離間方向に相対移動させて小物入れ１１の長さを最も長くしたときに、下部ケース１２と上部ケース１３の重なり合いを保ったままそれらの分離を阻止するものである。
【００３０】
連結帯１４は下部ケース１２と上部ケース１３の周壁２１，３１の周方向の一箇所以上に装着される。装着位置は図４に示したように、背面側と正面側の相対向する位置であるとよい。
【００３１】
連結帯１４の装着は、模式的に示した断面図である図８に示したように行われる。すなわち、連結帯１４の一端４１は下部ケース１２の周壁２１における外周面の上端に固定され、他端４２は上部ケース１３の周壁３１における内周面の上端部に固定される。上部ケース１３に対しては、連結帯１４の他端を上部ケース１３の上端に位置させて、それより下の一定の長さの部分を上部ケース１３に対し固定して重合部４３を形成する。
【００３２】
重合部４３は摩擦抵抗を生じさせる部分である。つまり図８に実線で示したように上部ケース１３を下げたときには、連結帯１４の重合部４３に対して連結帯１４の一端側の部分が重なり擦れ合うので、芯材２３，３３を有す下部ケース１２及び上部ケース１３の周壁２１，３１により互いに接近する方向に付勢力（矢印参照）が作用することと相まって、摩擦抵抗が生じる。
【００３３】
以上のように構成された小物入れ１１は、次のように使用される。  
蓋部３２を開けて小物を入れ、蓋部３２を閉じる。蓋部３２はスナップ３５で閉鎖されるので、片手でも開閉ができる。開けるときには下部ケース１２と上部ケース１３の周壁２１，３１が芯材２３，３３を有しており、蓋部３２を開ける方向に付勢力が働くので、操作が容易である。また蓋部３２を閉じるときには、上部ケース１３の周壁３１が芯材３３を有しているので、スナップ３５を留めるに際して、相手方、つまりスナップの一方３５ａが逃げないので、片手でも容易に閉じられる。
【００３４】
小物を入れて蓋部３２を閉じた後は、小物の長さに応じて上部ケース１３を下げて、小物入れ１１全体の長さを短くする。このとき、蓋部３２で閉じられる上部ケース１３の上端開口３１ａは、極端に偏平にならないので、例えば収納する小物が筆記具であって本本数が多かったり、マジックインキなどのように太いものがあったりした場合でも、比較的広い空間を上端開口３１ａ、つまり蓋部３２の下に確保できる。このため、例えばスライドファスナで閉鎖して偏平に閉じる場合と比べて、小物入れ１１全体の長さを短くできる。この結果、少しでも小さくすることができて携行に便利である。
【００３５】
また、下部ケース１２も上部ケース１３も周壁２１，３１に芯材２３，３３を有しており、下部ケース１２の底部には底板部材２６を備えていることから、内部の小物を十分に保護できる。つまりメガネや携帯機器などのケースとしても十分に使用できる。
【００３６】
収容した小物を取りだすときには、底枠部２６を下に小物入れ１１を立てるとともに蓋部３２を開けて上部ケース１３を押し下げる。小物入れ１１を立てるのも蓋部３２を開けるのも片手で行え、上部ケース１３を下げるのも、蓋部３２を開ける動作と一連に片手で行える。これは蓋部３２を開けると蓋部３２が自立するからであり、また上部ケース１３と下部ケース１２の周壁３１，２１には芯材３３，２３が備えてあり、そのうえ下部ケース１２の底部が平面視円形または略円形で安定性が良いからである。上部ケース１３を押し下げると、収納した小物の上部を露出させることができる。
【００３７】
このように、小物の取出しが片手で簡単に行え、非常に使いやすく、様々な小物を収納できる小物入れである。
【００３８】
また上部ケース１３を押し下げると、連結帯１４の重合部４３の存在等による摩擦抵抗によって、ある程度の保持力が得られる。このため上部ケース１３を下げて蓋部３２を開けた状態の小物入れ１１を、蓋部３２を持って移動させても上部ケース１３を下げた状態に保持できる。したがって、小物スタンドとしての使用中に移動させても不測に上部ケース１３が上に相対移動して小物が取れなくなったりするようなことを回避でき、この点でも使用しやすい。
【００３９】
下部ケース１２の底面２２には取っ手２７を備えているので、小物を収納して携行できる状態に上部ケース１３と蓋部３２を変形するときや、携行時に適宜取っ手２７を利用できて便利である。便利である上に、下部ケース１２の底部の底枠部２６があるので、小物入れ１１を立てるときも携行するときも取っ手２７が邪魔になるようなことをなくすことができる。
【００４０】
蓋部３２の基部の幅は上部ケース１３の上端開口３１ａ縁の長さの半分ほどもあるので、前述のように開けた時の自然な自立が可能である。そのうえ蓋部３２を閉じたときには上端開口３１ａを十分に塞げるので、収納した小物が不測に脱落してしまうようなことを防止できる。
【００４１】
下部ケース１２と上部ケース１３の周壁２１，３１の芯材２３，３３は変形可能であるとともに、下部ケース１２の底面は生地で形成されているので、底板部材２６を取り外せば、使用しないときに小物入れ１１は偏平な形に変形することができる。そして使用するときには、底板部材２６を下部ケース１２内の底部に取り付けると、下部ケース１２と上部ケース１３は所定の形状に戻る。このため、使用しないときにはコンパクトにできる上に、使用するときには所望の状態で使用できる。
【００４２】
以下、その他の例を説明する。この説明において、前述の構成と同一の部位については同一の符号を付してその詳しい説明を省略する。
【００４３】
図９、図１０は他の例に係る上部ケース１３の縦断面図である。この上部ケース１３は、蓋部３２の基部に上部ケース１３の周壁３１に備えた芯材３３と一体の芯材を備えている。図９の上部ケース１３は、蓋部３２の幅方向両側部に対応する部位に芯材３３の一部を延ばして２個の突片３３ａが形成されている。図１０の上部ケース１３は、蓋部３２の幅方向中間部に対応する部位に芯材３３の一部を延ばして略半長円形の突片３３ｂが形成されている。突片は蓋部３２の幅方向全体に形成したり、蓋部３２の全面に対応する形状に形成したり、その他の形状に形成したりすることもできる。
【００４４】
このように突片３３ａ，３３ｂを形成すると、蓋部３２を開けるときに、突片３３ａ，３３ｂの作用によって蓋部３２を積極的かつ確実に、即座に起立させることができる。また、突片３３ａ，３３ｂの有る部分では外部との衝突により小物をより確実に保護することができる。
【００４５】
図１１は他の例に係る小物ケース１１の上部ケース１３部分のみを縦断面で示した側面図である。この小物ケース１１は、閉鎖手段としてスナップ３５に代えて磁着具３６、つまり磁石３６ａと鉄板３６ｂを備えている。磁着具３６の吸着力は、上部ケース１３を押し下げて収納空間１５内の小物によって蓋部３２が内側から突き上げられた時に外れる程度の力に設定されている。
【００４６】
つまり、この構成の小物ケース１１では、蓋部３２を開ける操作を特別にしなくても、上部ケース１３を押し下げるだけで蓋部３２の開放と小物の露出が行える。このため、開けるときの操作性が非常によい。
【００４７】
このように構成する場合には、例えば図１０に示したように蓋部３２の特に中央部分に芯材を備えると、蓋部３２に剛性を持たせることができるので、蓋部の開放が円滑かつ確実に行える。
【００４８】
図１２、図１３は、下部ケース１２と上部ケース１３の間に備えられた節度構造１６を示す断面図である。節度構造１６は下部ケース１２と上部ケース１３の相対移動を段階的に行わせ、相対移動に際してクリック感を持たせるものである。
【００４９】
図１２の節度構造１６は、下部ケース１２と上部ケース１３を連結する連結帯１４に複数の屈曲部６１と複数の非屈曲部６２を長手方向に交互に形成して構成されたものである。つまり、連結帯１４は帯状の樹脂で形成され、長手方向に所定間隔で屈曲部６２としての薄肉部を有している。連結帯１４は適宜の剛性と柔軟性を有する１種類の樹脂で構成しても、硬質と軟質の２種類の樹脂で構成してもよい。連結帯１４の下部ケース１２と上部ケース１３に対する固定は前述の場合と同様である。
【００５０】
このような連結帯１４は、屈曲部６２では曲がるものの非屈曲部６１では曲がらないため、下部ケース１２と上部ケース１３の相対移動に際して、順次変位する屈曲部６２と非屈曲部６１は下部ケース１２と上部ケース１３の周壁２１，３１が発揮する付勢力と相まって、１つの屈曲部６２や非屈曲部６１の変位ごとに段階的な移動がなされるとともにそれに伴ってクリック感が得られる。
【００５１】
図１３の節度構造１６は、下部ケース１２と上部ケース１３における相対向する対向面の少なくともいずれか一方に形成された凹凸で構成されている。具体的には、上部ケース１３の周壁３１における内周面の周方向の適宜位置、たとえば連結帯１４を有しない左右両側に、上部ケース１３の長手方向に沿って適宜間隔をあけて複数本の突条６３が形成されて構成される。突条６３は上部ケースの長手方向と直交する方向にのびる適宜長さに、軟質の樹脂やゴムなどで形成される。突条６３は、下部ケース１２の周壁の外周面にも形成してもよい。また、下部ケース１２の外周面のみに形成してもよい。凹凸の構成は、凸としての突条を形成するだけではなく、凹としての溝を突条と交互に形成したものでもよい。
【００５２】
このような構成でも、下部ケース１２と上部ケース１３の周壁２１，３１が発揮する付勢力と相まって、１つの突条６３が下部ケース１２の上端部を上側に乗り越えるごとに段階的な移動がなされるとともにそれに伴ってクリック感が得られる。
【００５３】
これらのように節度構造６１を有すると、節度構造６１が下部ケース１２と上部ケース１３の位置関係の保持、つまり小物入れ１１の長さを保持する作用をするので、携行時等において小物入れ１１が不測に伸びたりすることを抑制できる。
【符号の説明】
【００５４】
１１…小物入れ
１２…下部ケース
１３…上部ケース
１４…連結帯
１６…節度構造
２１…周壁
２２…底面
２３…芯材
２５…底枠部
２６…底板部材
２７…取っ手
３１…周壁
３１ａ…上端開口
３２…蓋部
３３…芯材
３３ａ，３３ｂ…突片
３５…スナップ
３６…磁着具
６１…屈曲部
６２…非屈曲部
６３…突条
【図１】
0003204629.tif 000003
【図２】
0003204629.tif 000004
【図３】
0003204629.tif 000005
【図４】
0003204629.tif 000006
【図５】
0003204629.tif 000007
【図６】
0003204629.tif 000008
【図７】
0003204629.tif 000009
【図８】
0003204629.tif 000010
【図９】
0003204629.tif 000011
【図１０】
0003204629.tif 000012
【図１１】
0003204629.tif 000013
【図１２】
0003204629.tif 000014
【図１３】
0003204629.tif 000015